(57)【特許請求の範囲】
【請求項１】
撮影レンズを保持する鏡枠における焦点調節用駆動と絞り機構駆動とを行なうために所定領域内で往復移動可能な駆動カム部材と、
上記駆動カム部材に一体的に形成されていて、当接する上記鏡枠を焦点調節用に任意位置に進退駆動させるために、上記所定領域内のうちの焦点調節用実効範囲である鏡枠進退領域を有するカム部と、
上記駆動カム部材に一体的に形成されていて、上記鏡枠進退領域外に上記鏡枠が位置する範囲で上記絞り機構と当接して押圧し、絞り口径を設定変更駆動する絞り設定用押圧部と、
撮影を行なう際には、上記駆動カム部材を上記鏡枠進退領域外にて駆動させて上記絞り機構に上記絞り設定用押圧部を当接させて絞り口径を所望の位置に設定し、その後に上記駆動カム部材を上記鏡枠進退領域内にて駆動させて上記カム部により上記鏡枠を焦点調節駆動して所望の位置に設定するように、当該駆動カム部材の駆動源を駆動制御する制御手段と、
を具備することを特徴とする撮影レンズ装置。
【請求項２】
撮影レンズを保持する鏡枠における焦点調節用駆動と絞り機構駆動とを行なうために所定領域内で往復移動可能な駆動カム部材と、
上記駆動カム部材に一体的に形成されていて、当接する上記鏡枠を焦点調節用に任意位置に進退駆動させるために、上記所定領域内のうちの焦点調節用実効範囲である鏡枠進退領域を有するカム部と、
上記駆動カム部材に一体的に形成されていて、上記鏡枠進退領域外の両端側のうち、一端側の絞りリセット領域に設けられ上記絞り機構を開放絞り口径にリセットするように上記絞り機構を押圧する絞りリセット用押圧部と、上記鏡枠進退領域外の両端側のうち、他端側の絞りセット領域に設けられ上記絞り機構を所望の絞り口径にセットするように上記絞り機構を押圧する絞りセット用押圧部と、からなる絞り設定用押圧手段と、
撮影を行なう際には、上記駆動カム部材を上記鏡枠進退領域外にて駆動させて上記絞り機構に上記絞りセット用押圧部を当接させて絞り口径を所望の位置に設定し、さらに、上記駆動カム部材を上記鏡枠進退領域内にて駆動させて上記カム部により上記鏡枠を焦点調節駆動して所望の位置に設定するようにし、また、撮影後には、上記駆動カム部材を上記鏡枠進退領域外にて駆動させて上記絞り機構に上記絞りリセット用押圧部を当接させて絞り口径を開放絞り口径にリセットするように、当該駆動カム部材の駆動源を駆動制御する制御手段と、
を具備することを特徴とする撮影レンズ装置。
【請求項３】
上記駆動カム部材は、回動自在なリング状部材であることを特徴とする請求項２に記載の撮影レンズ装置。
【発明の詳細な説明】
【０００１】
【発明の属する技術分野】
本発明は、撮影レンズ装置、詳しくは、撮影レンズ進退および絞りの駆動を行う駆動機構部を内蔵する撮影レンズ装置に関するものである。
【０００２】
【従来の技術】
従来のカメラ用の撮影レンズ装置において、撮影レンズおよび絞りを単一の駆動源で駆動するというものはほとんど見られなかった。通常、絞りは、レンズシャッタカメラ等の場合は、シャッタが同一の駆動源で駆動する構造のものが多く、焦点調節（オートフォーカシング）と絞りが１つの駆動源で駆動されることは非常に稀であった。
【０００３】
【発明が解決しようとする課題】
したがって、従来の撮影レンズ装置においては、２つの独立した駆動源により焦点調節と絞りとが駆動されることが多く、２つの駆動源とそれぞれの駆動伝達機構を必要とすることからコスト的な問題、構造の複雑化および占有スペ−スが大きくなるといった問題があった。
【０００４】
本発明は、上述の不具合を解決するためになされたものであり、焦点調節と絞りを簡単な駆動機構で駆動し、低コストであり、しかも、構造が簡単で占有スペ−スが小さい撮影レンズ装置を提供することを目的とする。
【０００５】
【課題を解決するための手段】
本発明の第１の撮影レンズ装置は、撮影レンズを保持する鏡枠における焦点調節用駆動と絞り機構駆動とを行なうために所定領域内で往復移動可能な駆動カム部材と、上記駆動カム部材に一体的に形成されていて、当接する上記鏡枠を焦点調節用に任意位置に進退駆動させるために、上記所定領域内のうちの焦点調節用実効範囲である鏡枠進退領域を有するカム部と、上記駆動カム部材に一体的に形成されていて、上記鏡枠進退領域外に上記鏡枠が位置する範囲で上記絞り機構と当接して押圧し、絞り口径を設定変更駆動する絞り設定用押圧部と、撮影を行なう際には、上記駆動カム部材を上記鏡枠進退領域外にて駆動させて上記絞り機構に上記絞り設定用押圧部を当接させて絞り口径を所望の位置に設定し、その後に上記駆動カム部材を上記鏡枠進退領域内にて駆動させて上記カム部により上記鏡枠を焦点調節駆動して所望の位置に設定するように、当該駆動カム部材の駆動源を駆動制御する制御手段と、を具備することを特徴とする。
【０００６】
本発明の第２の撮影レンズ装置は、撮影レンズを保持する鏡枠における焦点調節用駆動と絞り機構駆動とを行なうために所定領域内で往復移動可能な駆動カム部材と、上記駆動カム部材に一体的に形成されていて、当接する上記鏡枠を焦点調節用に任意位置に進退駆動させるために、上記所定領域内のうちの焦点調節用実効範囲である鏡枠進退領域を有するカム部と、上記駆動カム部材に一体的に形成されていて、上記鏡枠進退領域外の両端側のうち、一端側の絞りリセット領域に設けられ上記絞り機構を開放絞り口径にリセットするように上記絞り機構を押圧する絞りリセット用押圧部と、上記鏡枠進退領域外の両端側のうち、他端側の絞りセット領域に設けられ上記絞り機構を所望の絞り口径にセットするように上記絞り機構を押圧する絞りセット用押圧部と、からなる絞り設定用押圧手段と、撮影を行なう際には、上記駆動カム部材を上記鏡枠進退領域外にて駆動させて上記絞り機構に上記絞りセット用押圧部を当接させて絞り口径を所望の位置に設定し、さらに、上記駆動カム部材を上記鏡枠進退領域内にて駆動させて上記カム部により上記鏡枠を焦点調節駆動して所望の位置に設定するようにし、また、撮影後には、上記駆動カム部材を上記鏡枠進退領域外にて駆動させて上記絞り機構に上記絞りリセット用押圧部を当接させて絞り口径を開放絞り口径にリセットするように、当該駆動カム部材の駆動源を駆動制御する制御手段と、を具備することを特徴とする。
【０００７】
本発明の第３の撮影レンズ装置は、上記第２の撮影レンズ装置において、上記駆動カム部材は、回動自在なリング状部材であることを特徴とする。
【０００８】
【発明の実施の形態】
以下、本発明の実施の形態を図に基づいて説明する。
図１，図２は、本発明の一実施の形態の撮影レンズ装置の分解斜視図である。なお、図中のａ1 〜ａ4 は図１，図２間の接続箇所を示している。また、図３は、上記撮影レンズ装置に組み込まれる鏡枠部の分解斜視図である。
【０００９】
まず、この撮影レンズ装置の構成について説明する。
図１，図２等に示すように、上記撮影レンズ装置は、電子スチル等に組み込み可能な撮影レンズ装置であって、主に装置本体１と、装置本体１に回動自在に取り付けられ、絞り駆動機構と焦点調節駆動機構とが一体的に設けられ、該両機構共通の駆動要素をなすカム機構としてのカムリング２と、装置本体１に撮影レンズ光軸Ｏに沿って進退自在に支持され、撮影レンズ３１，３２（図６参照）を保持する鏡枠３と、鏡枠付勢バネ２４が挿入されており、装置本体１の支持穴１ｂと本体蓋４の支持穴４ｅに支持され、鏡枠３を光軸方向にガイドする吊り軸８と、装置本体１の支持ピン１ｅに回動自在に支持され、シャッタ羽根１４を駆動するためのシャッタ駆動レバー９と、装置本体１の撮影開口１ａの後方に固着されるＣＣＤユニット７と、カムリング２の回動位置を遮蔽板２ｆを介して検出するフォトインタラプタ２９と、装置本体１に取り付けネジ９１により固着される本体蓋４と、装置本体１に取り付けネジ９３で固着され、ピニオン２１がその出力軸に固着されている絞り／焦点調節駆動の駆動源としてのステッピングモータ５と、装置本体１に取り付けネジ９４で固着されるシャッタ駆動用であるソレノイド（電磁石）６とを有している。
【００１０】
なお、本撮影レンズ装置は、カメラ側の自動合焦制御装置による撮影レンズの自動焦点調節、すなわち、ＡＦ（オートフォーカス）駆動が可能なものとする。
【００１１】
上記カムリング２には、その外周に上記ピニオン２１と噛合可能なギヤ部２ａと、回動支持用円筒端面部２ｂと、回動位置検出用の遮蔽板２ｆと、鏡枠３の焦点調節するための焦点調節駆動機構を構成する円筒端面カム形状のカム部２ｃと、絞り板１５に当接して駆動可能な絞り駆動機構を構成する絞りリセット用突起部２ｄ，絞りセット用突起部２ｅが配設されている。
【００１２】
カムリング２の本体１への組み込みは、図４のカムリング装着状態の縦断面図と、図４のＡ−Ａ′断面図である図５に示すように、円筒端面部２ｂを本体１の円状ガイド溝１ｄに挿入した状態で本体蓋４を本体１に固着すると、本体蓋４の突起部４ｂ，４ｃ，４ｄでカムリング２の端面の軸方向が規制された状態で回動自在に保持される。この状態では、ステッピングモータ５のピニオン２１がギヤ部２ａと噛合しており、モータ５の回転によりカムリング２が回動駆動される。
【００１３】
なお、上記カム部２ｃは、後述する図１２の展開図に示すように中央部の鏡枠進退領域２ｃB とその両端部に設けられる平坦形状の絞りリセット領域２ｃA ，絞りセット領域２ｃC で構成される。後述する鏡枠３のカム当接部１１ｈがカムリング２の回動動作に伴って、上記各領域を当接して従動するが、絞りリセット領域２ｃA ，絞りセット領域２ｃC にあるときは、リセット用突起部２ｄ，セット用突起部２ｅが絞り板１５を押圧し、絞りリセット、または、セット動作が行われる。
【００１４】
上記鏡枠３は、図３の分解斜視図に示すように、撮像素子側の後枠１１と、被写体側の前枠１２と、上記前枠１２と後枠１１との間に配設される絞り機構としての絞り板１５と、撮影開口１１ｃを開閉するシャッタ羽根１４と、上記シャッタ羽根１４と絞り板１５との間の隔離板として配設され、開放絞り径を決める開口１３ｃを有し、ピン１１ｇと支持ピン１１ｆとで位置決めされる隔壁部材１３と、後枠１１のボールガイド穴１１ｅに挿入されるボール付勢バネ１７および絞り板用位置決めボール１６とを有している。
【００１５】
上記後枠１１は、撮影レンズ３２を保持し、吊り軸８が摺動自在に嵌入する軸穴１１ａと、装置本体１のガイド１ｃに嵌入する切り欠き部１１ｂを有し、また、軸穴１１ａの外方にカムリング２のカム部２ｃに対して当接可能な焦点調節用被駆動部であるカム当接部１１ｈ（図６の鏡枠の縦断面図参照）と、絞り板１５を回動自在に支持する支持ピン１１ｄと、シャッタ羽根１４を回動自在に支持する支持ピン１１ｆと、上記撮影開口１１ｃと、上記ボールガイド穴１１ｅ等を有している。
上記前枠１２は、撮影レンズ３１を保持し、後枠１１に取り付けネジ９２で固着され、後枠１１と一体化されて鏡枠３を構成する。
【００１６】
上記絞り板１５は、軸穴１５ａにて後枠１１の支持ピン１１ｄにより回動自在に取り付けられており、後枠１１の光軸Ｏ中心に位置する撮影開口１１ｃに対向可能な絞り開放部１５ｄ，中絞り穴１５ｅ，小絞り穴１５ｆが軸穴１５ａから等距離の円弧軌跡位置に配置された３段階のターレット絞り構造を有している。また、前枠１２との接触面上に摺動抵抗を減じるための円弧状の突起１５ｃが設けられている。
【００１７】
また、絞り板１５には、上記撮影開口１１ｃに対応して絞り開放部１５ｄ，中絞り穴１５ｅ，小絞り穴１５ｆが対向したときの上記後枠１１の位置決めボール１６位置にボール係合穴１５ｇ，１５ｈ，１５ｉが設けられており、各絞り位置でのクリック保持力を与えるようになっている。さらに、前，後枠から外部に露出した位置にカムリング２の突起部２ｄ，２ｅが当接可能な当接部材である当接ピン１５ｂが設けられている。この当接ピン１５ｂの長さは、図７の鏡枠３の絞り板周りの縦断面図に示すように鏡枠３が進退移動しても突起部２ｄ，２ｅが当接可能な所定の長さを有している。
【００１８】
なお、ズームレンズ等で鏡枠進退量が大きい場合、図７に示すようにカムリング２′が相対的により後方に移動することから、絞り板１５の当接ピン１５ｂ′を長くすることによって本機構を適用することができる。
【００１９】
シャッタ羽根１４は、撮影開口１１ｃの対向位置にＶ字状の切り欠き部１４ｃとシャッタ駆動レバー９の駆動ピン９ｂが嵌入可能な長穴１４ｂを有し、後枠１１の支持ピン１１ｆに後枠１１の撮影開口１１ｃの面上に回動自在に取り付けられる。
【００２０】
なお、上記絞り板１５と隔壁部材１３とシャッタ羽根１４の光軸方向の配設位置の順序は、図６の鏡枠縦断面図、または、図７の絞り板周りの縦断面図に示すように、前枠１２と後枠１１との間に前枠１２側から絞り板１５，隔壁部材１３，シャッタ羽根１４の順序で配置されている。
【００２１】
上記ソレノイド６は、戻しバネ２３が装着され、突出，吸引可能な可動鉄心であるプランジャ２２を有しており、該プランジャ２２には、シャッタ駆動レバー９の駆動ピン９ａが嵌入される溝部２２ａが設けられている。なお、後述の図１１に示すようにソレノイド６のオフでプランジャ２２は突出位置Ｐ22A にあり、オンで吸引位置Ｐ22B に吸引される。
【００２２】
また、上記ＣＣＤユニット７は、光学フィルタ２５とスペーサ２６と撮像素子であるＣＣＤ２７で構成され、プリント基板２８に一体的に組み付けられている。
【００２３】
次に、絞り板等の光学系部材とソレノイド等の駆動部材の配置について、図８，図９を用いて説明する。
図８，図９は、絞り板，シャッタ羽根とソレノイド，ステッピングモータの配置状態を示す図であって、図８は光軸に沿って被写体側から見た断面図であり、図９は、図８のＡ−Ａ′断面図である。
【００２４】
図８に示すように鏡枠３の光軸Ｏの位置は、前記カムリング２の回動中心Ｏ′に対して偏心している。このように偏心させることによって、絞り板１５をカムリング２の中心寄りに配置することができ、上方に設けられる回動駆動用当接ピン１５ｂをカムリング２の内周部に収める構造を採用でき、カムリング２の小型化を可能としている。
【００２５】
また、絞り板１５とシャッタ羽根１１の回動の中心（支持ピン１１ｄと１１ｆ）は、それぞれ図８において、光軸Ｏ上の撮影開口１１ｃに対して互いに直交する方向の上方（ｙ軸方向）と右方（ｘ軸方向）に位置させている。このように回動中心を設定して、光軸Ｏ上での絞り開放部１５ｄ，絞り穴１５ｅ，１５ｆの切り換え移動方向とシャッタ閉成用切り欠き部１４ｃの移動方向が互いに直交することになる。このように設定することによる効果は、後で説明する。
【００２６】
シャッタ羽根駆動用のソレノイド６とカムリング駆動用のステッピングモータ５は、図８に示すように被写体側から見て鏡枠３の右側に配置されている。また、光軸Ｏ方向の配置は、図９に示すようにソレノイド６が鏡枠３の前枠１２側の側面部に配置され、ステッピングモータ５が鏡枠３の後枠１１の側方から後方の結像側向けて配置されている。このように配置することは、ソレノイド６としては、その駆動負荷となるシャッタ羽根１４が鏡枠３の略中央にあることから好都合であり、また、ステッピグモータ５としても、その駆動負荷となるカムリング２が後枠１１の側方にあり、さらに、モータのサイズ等の関係からも好ましい配置となっている。
【００２７】
次に、以上のように構成された本撮影レンズ装置における絞り・シャッタ開閉・焦点調節の各動作について、図１０〜図１４等を用いて説明する。
なお、図１０は、鏡枠を被写体側から見た状態での絞り板およびカムリングの動作状態を示す断面図であり、図１１は、鏡枠を被写体側から見た状態でのシャッタ羽根の動作状態を示す断面図である。また、図１２は、カムリングの展開図である。さらに、図１３は、プランジャストロ−ク、または、時間に対するシャッタの光量の変化を示す図であり、図１４は、同じく各プランジャストロ−クにおけるシャッタ開口面積の値と開口形状を示す図である。
【００２８】
まず、カムリング２の回動による鏡枠移動と絞り動作から説明する。
カムリング２は、図１２に示すように光軸Ｏ方向に高さが変化する進退領域２ｃB と平坦形状の絞りリセット領域２ｃA ，絞りセット領域２ｃC で構成されるカム部２ｃを有しており、ステッピングモータ５によって回動駆動されると、図１０に示すように鏡枠３のカム当接部１１ｈ（図３，図８参照）が上記カム部２ｃ上の回動範囲Ｒ0 を摺動する。
【００２９】
上記範囲Ｒ0 のうち、カム当接部１１ｈが領域２ｃA に到達したとき、後述するように絞りのリセット動作が行われ、位置Ｐ0 にて絞りがリセット状態となる。この位置Ｐ0 到達は、フォトインタラプタ２９により遮蔽板２ｆを検出することによって検知される（図１２参照）。また、上記位置Ｐ0 から所定範囲回動し、進退領域２ｃB 上をカム当接部１１ｈが摺動すると、鏡枠３が付勢バネ２４に抗して吊り軸８に沿って進退駆動され、ＡＦ動作、すなわち、焦点調節が行われる。この進退領域２ｃB の移動量は、鏡枠のレンズ製造の誤差分を吸収できるように大きく設定されており、実際の組み付け調節時には上記領域２ｃB の一部の領域、例えば、領域２ｃE（回動位置Ｐ2 からＰ1 間）が至近〜∞の合焦領域として選択される。また、領域２ｃC に当接部１１ｈが到達したとき、後述する絞りセット動作が行われる。
【００３０】
上記絞りリセット動作を行うには、カムリング２を反時計回りに回動させて、カム当接部１１ｈが上記領域２ｃA の範囲に到達すると、カムリング２の突起部２ｄで絞り板１５の当接ピン１５ｂを反時計回りに回動させる。そして、カム当接部１１ｈが位置Ｐ0 に到達したとき、絞り板１５は、図１０に示すリセット位置Ｐ15A に回動しており、鏡枠３の撮影開口１１ｆ上に絞り開放部１５ｄが位置する全開放状態となる。
【００３１】
このとき、絞り板１５のボール係合穴１５ｇに位置決めボール１６が嵌入し、所定のクリック力で上記絞り板１５のリセット回動位置Ｐ15A を保持する。このクリック力により、その後のＡＦ動作時等にカムリング２の突起部２ｄが絞り板１５の当接部１５ｂから離れたとしても絞りリセット状態が保持される。
【００３２】
さらに、上記絞りリセット状態では当接ピン１５ｂがリセット用突起部２ｄと装置本体１の保持機構である突起１ｆとで挟持される。この状態でカメラが非使用状態になって、電源がオフされたときでも、ステッピングモータ５のコギングトルクによりカムリング２が保持され、絞り板１５が上記リセット回動位置Ｐ15A で保持される。従って、カメラの非使用状態で振動や衝撃が作用したときでも絞り板１５は上記リセット位置に保持され、位置ずれが防止でき、その後の撮影開始に支障を生じさせないようにし、また、輸送等での光学系部材の破損が防止できる。
【００３３】
なお、保持機構としての本体１の突起１ｆは、鏡枠３側に設けてもよく、例えば、後枠１１にストッパ１１ｉ（図１０参照）を設けて絞り板１５をリセット位置で保持するようにしてもよい。
【００３４】
また、絞りセット動作を行うには、カム当接部１１ｈが位置Ｐ0 にある絞りリセットの位置から、一旦、カムリング２を時計回りに、絞りセット領域２ｃC まで回動させる。但し、絞り開放状態のままで撮影を行う場合は上記絞りセット領域２ｃC まで回動させる必要はなく、鏡枠進退領域２ｃB での進退駆動が実行される。
【００３５】
絞りセットが中絞りである場合、カム当接部１１ｈが上記領域２ｃC まで回動して、セット用突起部２ｅが絞り板１５の当接ピン１５ｂに当接した後、さらに、時計回りに回動させ、中絞り穴１５ｅが鏡枠３の撮影開口１１ｃ上に位置したとき、カムリング２の回動を停止させる。この状態で絞り板１５は位置決めボール１６がボール係合穴１５ｈに嵌入して所定のクリック力で保持され、中絞り状態にセットされる。
【００３６】
絞りセットが小絞りである場合、同様にカム当接部１１ｈが上記領域２ｃC まで回動して、セット用突起部２ｅが絞り板１５の当接ピン１５ｂに当接した後、さらに、時計回りに回動させ、小絞り穴１５ｆが鏡枠３の撮影開口１１ｃ上に位置したとき、カムリング２の回動を停止する。この状態で絞り板１５は、図１０の回動位置Ｐ15B に位置し、位置決めボール１６がボール係合穴１５ｉに嵌入し、所定のクリック力で保持され、小絞り状態にセットされる。
【００３７】
上記各絞りセットを行った後は、カムリング２を反時計回りに回動させ、カム当接ピン１１ｈがカムリング２のＡＦ範囲の領域２ｃB 内の領域２ｃE （回動位置Ｐ2 からＰ1 間）にあるとき、撮影レンズの合焦動作が行われ、適正な絞りとピント状態での撮影が実行される。
【００３８】
撮影後、カムリング２は、さらに、反時計回りに回動され、リセット用突起部２ｄで絞り板１５の当接ピン１５ｂが押圧され、絞り板１５は、前記図１０のリセット位置である回動位置Ｐ15A まで戻される。
【００３９】
上述のように、本撮影レンズ装置にあっては、カムリング２の回動によって、鏡枠３の合焦のための進退移動と絞り板１５の絞り回動位置の設定を行う必要があり、例えば、ＡＦ動作を行う場合、最初に露出を決めた後、絞りを設定し、その後、ＡＦ動作を行うことから、カムリング２のカム部２ｃのＡＦ動作範囲内に絞り駆動範囲が設定されていると、ＡＦ動作中に絞りが変化してしまうといった不具合が生じる。
【００４０】
そこで、上記カムリング２は、上述したように鏡枠進退駆動と絞り駆動と独立して作用するように構成している。すなわち、カム部２ｃの内、鏡枠駆動の実効範囲である鏡枠進退移動範囲２ｃB 外の範囲でのみ絞り駆動用の絞りリセット，セット突起部２ｄ，２ｅが作用するように構成することによって、絞りが正確に行われ、絞りを駆動する機構の配置が容易となる。また、カムリング２に焦点調節と絞り駆動の両方の機構部を別途に備えることにより調節工程や部品が単純化できる。
【００４１】
さらに、カムリング２をリング形状にして円筒端面カム部により鏡枠３を進退駆動するように構成したことにより、光軸方向の厚みの増加が抑えられる。また、撮影レンズ装置の鏡枠部内に上記カムリング２が埋め込まれ、さらに、カムリング２の内部に後述する鏡枠等の光学部材が収容され、出っ張り部分が少なくなることから、撮影レンズ装置自体もコンパクトになり、上記各部材の収容効率がよくなる。また、カム部が内部に位置することからカム面にごみ等が付着することが避けられ、ＡＦ駆動性能の劣化が避けられる。
【００４２】
次に、ソレノイド６のオンオフにともなうシャッタ開閉動作について説明する。
シャッタ羽根１４は、図１１に示すようにソレノイド６のプランジャ２２が突出位置Ｐ22A にあるとき、撮影開口１１ｃから切り欠き部１４ｃが退避した開放位置Ｐ14A にある。プランジャ２２が吸引位置Ｐ22B に吸引されると、シャッタ駆動レバー９を介して時計回りに駆動され、撮影開口１１ｃを閉じる閉成位置Ｐ14B に移動する。
【００４３】
撮影終了後、ソレノイド６のオフにより、戻しバネ２３の付勢力によりプランジャ２２が突出位置Ｐ22A に戻され、シャッタ羽根１４も撮影開口１１ｃの開放位置Ｐ14A に戻される。
【００４４】
前述したように光軸Ｏ上での絞り板１５の絞り開放部１５ｄ，絞り穴１５ｅ，１５ｆの切り換え移動方向（ｘ軸方向）と上記シャッタ羽根１４の切り欠き１４ｃの移動方向（ｙ軸方向）が互いに直交している。このような配置を採用することによって、シャッタの開放時間（シャッタ時秒）精度の低下を解消している。
【００４５】
例えば、絞り穴位置が切り欠き移動であるｙ軸方向にずれると、ソレノイド６のオフ後、切り欠き１４ｃが上記絞り穴を通過するまでの時間、すなわち、シャッタ秒時が変化し、精度が低下する。
【００４６】
そこで、上記絞り板１５の絞り穴１５ｅ，１５ｆの軸心からのｙ軸方向の距離精度は、単一の部品精度で決定されることから高い精度を保証可能としている。一方、絞り穴移動方向であるｘ軸方向のクリック保持位置は、後枠１１に保持される位置決めボール１６の位置精度と絞り板１５の穴位置精度とが複合して影響することから多少ずれる可能性がある。
【００４７】
本装置においては、上述のように絞り板１５の絞り穴１５ｅ、または、１５ｆのｙ軸方向の位置精度がよいことから上述のプランジャ２２の吸引に伴うシャッタ秒時の精度の低下が避けられる。また、上述したように絞り穴１５ｅ，１５ｆのｘ軸方向の切り換え移動方向の位置決め精度は、必ずしも高精度が得られないとしても、シャッタ羽根１４の切り欠き１４ｃとの移動方向と直交する方向にわずかにずれが生じるだけで、シャッタ秒時への影響は少ない。
【００４８】
なお、上述のような互いに直交する移動方向ではなく、シャッタ機構として絞り板の絞り穴１５ｅ，１５ｆの移動方向とシャッタ羽根の切り欠き１４ｃの移動方向が直交せず互いに同じ方向に移動するような構造を採ったとすると、絞り穴の移動方向位置決め精度の低下がシャッタ秒時の精度を低下させることになる。
【００４９】
上記シャッタ羽根１４は、上述したように撮影開口１１ｃの閉成部としてＶ字状の切り欠き部１４ｃを有しているが、その切り欠き部１４ｃを通過する光量の変化特性について、図１３，図１４の上記シャッタ羽根による光量変化を示す線図と開口面積変化を示す線図等を用いて説明する。
図１３は、プランジャ２２のストロ−ク、または、経過時間に対する光量の変化を示した線図であり、図１４は、プランジャ２２の各ストロ−クにに対する開口面積の変化を示した線図である。
【００５０】
図１４に示すように、閉じ動作の初期においては、切り欠き部１４ｃのＶ字に傾斜した２辺で開口１１ｃの両側方から遮蔽して行く状態になっている。
図２６に示すような従来の直線羽根のシャッタ羽根の場合は、支持軸９２回りに回動可能なシャッタ羽根９１において、直線状の羽根部９１ａで開口９３を閉じて行く構造になっており、図２７の上記従来のシャッタ羽根による光量変化を示す線図のようにプランジャストロ−クに対する光量の変化は、直線的に変化する。
【００５１】
一方、ソレノイド６は、オン状態になって吸引を開始した場合、通常、プランジャの吸引速度は、プランジャの慣性、または、摩擦力等により駆動始めは遅く、徐々に増加してゆくような変化を辿る。
【００５２】
従って、上記従来のシャッタ羽根９１での経過時間に対する光量の変化としては、図２７に示すように経過時間の初期にて、光量変化の遅れが生じ、最初は、遅く、途中から速く変化することになる。シャッタスピ−ドとしては、光量が半分になるまでの経過時間をシャッタスピ−ドとすることから、この従来の場合は、たとえ、シャッタが閉成するまでの時間が同じでも初期が遅れるため、見かけ上のシャッタスピ−ドとしては遅くなってしまう。
【００５３】
ところが、本実施形態の撮影レンズ装置のシャッタ羽根１４によると、図１４にて説明したようにＶ字状の切り欠きにより開口を閉じて行くので、初期動作における開口面積の減少の速度が速く、光量の減少速度も大きくなる。従って、プランジャ２２の吸引動作の初期遅れがあったとしても、図１３に示すように経過時間に対して直線的に光量を減少させることができ、見かけ上のシャッタスピ−ドを速くすることが可能となる。
【００５４】
ここで、上述の実施形態の撮影レンズ装置がＡＦ付きカメラに組み込まれた場合の一連の撮影動作について説明すると、まず、レリーズスイッチの１段目がオン操作された場合、露出検出が行われる。そして、一旦、ＡＦ動作による鏡枠合焦位置を検出した後、レリーズスイッチの２段目のオンを待つ。該２段目がオンとなった場合、カムリング２を時計回りに回動させ、絞りリセット位置からＡＦを行う鏡枠移動範囲を通過し、上記露出検出による絞りにセットするため絞りセット位置、例えば、中絞り位置まで回動させる。その後、カムリング２を反時計回りの回動させ、上記１段目オン時に検出したＡＦ位置（合焦位置）へ鏡枠当接部１１ｈを介して鏡枠３を駆動し、そこで、撮影が実行される。
【００５５】
このときのカムリング２の回動角は、ステッピングモータ５の駆動パルス数で管理される。但し、ギヤ部２ａ等のバックラッシュ誤差を考慮する必要があるときには、上記ＡＦ位置に鏡枠３をセットする場合、一旦、カムリング２をＡＦ位置を超えて反時計回りに数ステップ余分に戻し、その後、時計回り方向に回動させ、すでに検出されているＡＦ位置に位置させる。このようにカムリング２を駆動することにより高精度のＡＦ処理が可能となる。
撮影終了後は、カムリング２を反時計回りに回動させ、絞りリセット状態である絞り開放状態の位置、すなわち、図１２に示すように鏡枠カム当接位置１１ｈがカムリングカム部２ｃに対して位置Ｐ0 に戻される。
【００５６】
上述のように本撮影レンズ装置においては、撮影が終了した時点で絞りを開放状態にリセットすることによって、次の撮影開始時に直ちにＡＦ動作の合焦位置検出動作に入ることが可能となり、準備時間が短縮され、操作性がよくなる。
また、常に開放位置でＡＦ動作を行うので、レンズの深度が浅く、精度の高い測距データが得られる。
【００５７】
次に、上記実施形態の撮影レンズ装置における図１２の展開図等に示したカムリング２に対する変形例について説明する。
すでに説明したように上記カムリング２は、その回動動作により鏡枠の進退駆動と絞りセット，リセット動作の双方を行うように構成されているが、鏡枠進退領域である領域２ｃB 内の一部分に設定されている実効進退領域２ｃE の回動範囲に対して、カム上の領域２ｃA ，２ｃC が対応する絞りセット、または、リセット動作を行う回動位置は、上記領域の両端方向にかなり離れた位置であった。
【００５８】
従って、一連の撮影動作において、カムリング２を絞りリセット位置から鏡枠進退領域に回動させ、測光を行った後、端部の絞りセット位置まで回動させ、その後、鏡枠進退領域に戻し、ＡＦ駆動を行うことなるが、上記離間した絞りリセット位置からセット位置までカムリング２を回動させるため、長い回動時間が必要となり、タイムラグが増え、さらに、ＡＦ動作を終了するまでの時間も長くなってしまう。
【００５９】
この変形例のカムリングは、上述の不具合を解決するものであって、図１５（Ａ）のカムリング４２の展開図に示すように、絞りリセット用突起部４３と絞りセット用突起部４４がカム部２ｃの鏡枠進退領域２ｃB に対して、回動方向に位置調節が可能な構造を有している。
すなわち、実際の組立調節工程において、鏡枠３のＡＦ動作に必要な進退位置から鏡枠移動領域２ｃB の内、実効鏡枠進退領域２ｃE を設定する。その領域２ｃE にできるだけ接近したカムリング３の回動位置で絞りリセット、または、セットが行えるように絞りリセット用突起部４３と絞りセット用突起部４４の位置を調節して固定する。
【００６０】
上述のように絞りリセット，セット用突起部の位置が調節されたカムリング４２を適用することにより、絞りセットまでの時間、ＡＦ動作終了までの時間、さらに、絞りリセットまでの時間をそれぞれ短縮でき、タイムラグを減らすことができ、素早い撮影が可能になる。また、撮影レンズのフランジバック調節も可能となる。さらに、鏡枠の進退量が制限され、占有スペ−スを少なくすることができる。
【００６１】
次に、上記の変形例のように絞りセット，リセット用の突起部の位置を調節する必要がなく、ＡＦ動作を終了するまでの時間を短縮可能な変形例について、図１５（Ｂ）のカムリング展開図によって説明する。
この変形例のカムリング４２′は、それぞれ両端部に絞りセット，リセット用平坦部を有する複数の分割カム部である第１のカム部４２Ea，第２のカム部４２Eb，第３のカム部４２Ecを有し、さらに、鏡枠３のカム当接部１１ｈが上記各カム部の両端部の平坦部上にあるカムリング回動範囲で絞り板１５の当接ピン１５ｂが当接する絞りリセット，セット用の突起部４３ａ，４４ａと突起部４３ｂ，４４ｂと突起部４３ｃ，４４ｃを有している。
【００６２】
上記第１のカム部４２Ea，第２のカム部４２Eb，第３のカム部４２Ecは、前記鏡枠移動範囲２cBの移動量に対してオーバーラップ量を設けた状態で、それぞれ所定のフランジバック量に応じた移動量をもつ３分割カム部であり、上記カム部の各移動範囲にできるだけ接近した回動位置範囲で上記各突起部が当接ピン１５ｂと当接するように該突起部は配設されている。なお、本変形例では３分割するものとしたが、分割数はこれに限らず必要な数の分割を行ってもよい。
【００６３】
この変形例のカムリング４２′は、鏡枠組立調節時においてレンズのフランジバックのできばえに合わせて、上記複数のカム部から最適なカム部が選択され、そのとき、絞りリセット，セット用の突起部も上記カム部に対応する突起部が選択され、実際の絞り動作とＡＦ動作にて駆動部として使用されることになる。例えば、カム部４２Eaが選択された場合、カムリング４２′としては、絞り動作とＡＦ動作にてカム部４２Eaとその平坦な端部を含む比較的狭い範囲である回動範囲Ｒａを回動することになる。
【００６４】
この変形例のカムリング４２′を適用した場合、上記鏡枠組立調節時にてレンズのフランジバックに合わせたＡＦ移動範囲を選択することができるので、高精度で且つ素早いＡＦ動作が可能となり、しかも、上記変形例の場合のような突起部の位置調節を行う必要がない。
【００６５】
次に、上記実施形態の撮影レンズ装置における図１２等に示すカムリング２に対する別の変形例について説明する。
この変形例のカムリング４５は、その展開図を図１６に示し、ゾーンフォーカシングが可能なカメラに適用することが可能な撮影レンズ装置のカムリングである。すなわち、カム部４５ｃとして、カムリング２と同様に両端部に平坦状の絞りリセット，セット領域４５ｃA ，４５ｃC が配設され、中央部に２つの段階状の位置規制部である鏡枠進退領域４５ｃB1，４５ｃB2が配設されている。この領域４５ｃB1，４５ｃB2は、それぞれ無限遠（∞）側フォーカシングの領域と至近側フォーカシングの領域である。
【００６６】
このカムリング４５を用いると、∞側，至近側ともにフォーカシング時の回動位置が多少ずれても鏡枠の進退位置がずれることがなく、段階的な駆動を行うだけでよいのでＡＦ駆動制御が簡素化できる。
なお、上記変形例のカムリング４５は、進退領域を２段階カム面で構成したが３段階以上のカム面で構成してもよい。さらに、上記段階状の鏡枠進退領域の一部を撮影レンズのマクロ撮影のための進退駆動用とすることも可能である。
【００６７】
次に、上記実施形態の撮影レンズ装置におけるカムリング２に代えてカム環を適用する撮影レンズ装置について説明する。
図１７は、上記カム環を組み込んだ撮影レンズ装置の主要部の縦断面図であり、図１８は、上記撮影レンズ装置の主要部の斜視図である。
上記カム環７２は、円筒形状を有し、外周に沿って鏡枠７３をカムフォロワ７３ｈを介して進退駆動するための溝カム７２ｃが設けられ、絞りリセット用突起部７２ｄが内周部に設けられている。なお、図示していないが絞りセット用突起部やカム環駆動用のギヤ部等も設けられている。
【００６８】
この変形例のカム環７２を組み込んだ撮影レンズ装置の鏡枠７３の進退駆動動作、絞り板１５の駆動動作等は、前記実施の形態の装置の場合と同一である。そして、この撮影レンズ装置によれば、カム環７２の本体への収容が容易であり、実装効率を上げることができる。
【００６９】
次に、上記撮影レンズ装置のカムリング２に対するさらに別の変形例について説明する。
この変形例のカムリングは、鏡枠当接部１１ｈを駆動するカム部２ｃの範囲以外にストロボ発光部回動駆動用のカム部を設けるように構成した変形例である。上述のようにストロボ発光部を回動駆動することによって、マクロ撮影時にストロボの光軸方向を被写体に向けるように変化させることができる。
【００７０】
図１９は、上記変形例のカムリング８１を組み込んだ撮影レンズ装置とストロボ装置を被写体側から見た断面図である。図２０は、図１９のＡ−Ａ′断面図である。
上記カムリング８１は、上記カムリング２と同様に、外周部に駆動用ギヤ部８１ａと、鏡枠３のカム当接部１１ｈと当接可能な、焦点調節するための焦点調節駆動機構を構成する円筒端面カム形状のカム部８１ｃと、絞り板１５に当接して駆動可能な絞り駆動機構を構成するリセット用突起部８１ｄ，セット用突起部８１ｅと、上記カム部８１ｃの配設領域以外にストロボ駆動用カム部８１ｆとが配設されている。
【００７１】
一方、ストロボ発光部８３は、本体に支持軸８３ａを介して駆動自在に支持されている。上記ストロボ発光部８３は、支持軸８２ａにより回動自在に支持されるストロボ駆動レバー８２の駆動ピン８２ｃを介して回動駆動可能である。
【００７２】
上記カムリング８１のカム部８１ｃには、両端部分に平坦状の領域８１ｃA 、８１ｃB が設けられ、中央部に通常撮影用の鏡枠進退領域８１ｃB1とマクロ撮影用の鏡枠進退マクロ領域８１ｃB2とが設けられている。また、カム部８１ｆには、ストロボ駆動レバー８２のカム当接部８２ｂが当接可能であって、上記鏡枠進退領域８１ｃB1に対応する平坦状の領域８１ｆ1 と、鏡枠進退マクロ領域８１ｃB2に対応するストロボ駆動用マクロ領域８１ｆ2 とが設けられている。
【００７３】
以上のように構成されたこの変形例のカムリングを適用した撮影レンズ装置で、マクロ撮影を行う場合、カムリング８１を鏡枠当接部１１ｈが鏡枠マクロ進退領域８１ｃB2に当接する位置まで回動させ、鏡枠３をマクロ撮影状態に移動させる。そのとき、ストロボ駆動レバー８２は、その当接部８２ｂがカム部８１ｂのマクロ領域８１ｆ2 に当接する状態になり、ストロボ発光部８３を回動させ、照射光軸方向を通常撮影状態での方向ＤA からマクロ撮影に対応した下方の方向ＤB に変化させる。
【００７４】
上述のように本変形例のカムリング８１の適用した撮影レンズ装置によれば、マクロ撮影時のストロボ発光部の照射光軸を下方、すなわち、撮影レンズの光軸に接近する方向に向けるように変化させることができ、マクロ撮影を良好な配光状態で行うことができる。
なお、上記撮影レンズ装置ではストロボの照射方向を変化させるようにしたが、これに限らず、光軸方向が可変のファインダに対してパララックス補正のために、カムリングの回動に伴いファインダ光軸を変化させるようにしてもよい。
【００７５】
次に、前記図１，図２に示した実施形態の撮影レンズ装置が組み込まれたバリア付きＡＦ電子スチルカメラについて説明する。
図２１は、上記バリアつきＡＦカメラ裏側から見た外観の斜視図である。図２２、および、図２３は、それぞれバリアの閉鎖状態と開放状態のカメラの正面図である。
【００７６】
本カメラ５１の前面部には、撮影レンズ３１を閉鎖位置Ｐ52A 、または、開放位置Ｐ52B にスライド移動可能なバリア５２を有しており、その開閉動作に連動してカメラに内蔵されたバリアスイッチ６５がオンオフする。該バリアスイッチ６５の出力信号は、モータ，ソレノイド等の駆動制御を行う制御回路６６に入力される。さらに、カメラ５１の前面部には、ファインダ窓５３とストロボ窓５４が配設されている。
【００７７】
カメラ５１の裏面部には、ファインダ５６と、ＣＣＤ撮像画像のスルー画面である撮影画像や撮像済みの再生画像、または、各種文字情報等を表示するＬＣＤモニタ５７と、上記ＬＣＤモニタ５７のオンオフを指示するスイッチとして働き、上記ＬＣＤモニタ５７の右側であって、ホールドした右手の親指で操作し易い位置にあるＬＣＤスイッチ５８と、画像再生時に再生コマを選択するコマ選択スイッチ５９とが配設されている。
【００７８】
上記カメラ５１の上面部には、ホールドした手の人差し指で操作できるレリーズスイッチ５５と、マクロ撮影を指示するマクロスイッチ６０と、その他の操作スイッチ等が配設されている。
また、カメラ左側面部には別のバッテリが接続可能な外部電源コネクタ６１と、パーソナルコンピュータ等との通信用コネクタ６２とが配設されている。
【００７９】
なお、このようにカメラの裏面側からみて左側にケーブル類が接続される外部電源コネクタ６１や通信コネクタ６２が配置されていることにより、ケーブルが接続された状態で右手でカメラをホールディングするときに上記ケーブルが邪魔にならないようになっている。
【００８０】
従来例の電子スチルカメラでは、撮影モードと再生モードを切り換える切り換えスイッチが独立して配設されていた。それによって、ＬＣＤモニタ等に表示される画をファインダ用の画像として表示するか内部に記憶されたデータを表示するかという切替えをさせていた。そのような切り換えスイッチがカメラ撮影操作の中で自然に使われるという形にならずに独立して再生、もしくは、撮影という意志をユーザ側が示さなければならなかった。
【００８１】
本カメラでは、バリア５２に連動するバリアスイッチ６５の出力を用いてバリア５２の開閉状態を検出し、バリア５２が開いているときは撮影モードが選択され、バリアが閉じており、さらに、ＬＣＤスイッチ５８がオンされると再生モードが自動的に選択されるため、モード設定がスムーズにしかも簡単に行え、使い易くなっている。
【００８２】
図２４のフローチャートを用いて本カメラの撮影／再生のシーケンスについて説明すると、電池が装填されると、上記シーケンス処理がスタートし、ステップＳ１０でバリア開状態であるかどうかをバリアスイッチ６５の出力信号により判別する。バリア閉状態であれば、ステップＳ１１に進み、バリア開状態であれば、撮像画像をメモリに記録する撮影モードが選択され、ステップＳ１６にジャンプする。
【００８３】
上記ステップＳ１１では、ＬＣＤスイッチ５８が押圧されているかを判別し、押圧されていなければ、上記ステップＳ１０に戻る。バリア５２閉状態では常にこのＬＣＤスイッチ５８を常にウォッチングしていることになる。
ＬＣＤスイッチ５８が押圧されていれば、再生モードであるとして、ＬＣＤモニタ５７をオンとする（ステップＳ１２）。
【００８４】
再生モードではＬＣＤスイッチ５８は、電気的にトグルスイッチとして作用するので、指を一旦離してもＬＣＤモニタ５７はオン状態を保つ。そして、最新の撮影済み画像からコマ再生を行う（ステップＳ１３）。ＬＣＤスイッチ５８がオンである限りコマ再生を続ける（ステップＳ１４）。なお、再生時での再生コマの選択は、コマ選択スイッチ５９で行うことができる。
ＬＣＤスイッチ５８がもう一度押圧され、オフとなると、ステップＳ１５に進み、ＬＣＤモニタ５７をオフにして本ルーチンを終了する。
【００８５】
一方、撮影モードが選択され、ステップＳ１６にジャンプした場合は、まず、撮影レンズのリセットを行う。ステップＳ１７ではバリアの閉状態をバリアスイッチ６５の出力でチェックし、閉じていれば、そのまま本ルーチンを終了する。閉状態でなければ、ＬＣＤスイッチ５８の状態をチェックする（ステップＳ１８）。
【００８６】
ＬＣＤスイッチ５８がオフであれば、ＬＣＤモニタ５７をオフとし（ステップＳ２３）、後述するステップＳ２４に進み、以後、ＬＣＤモニタ５７のオフの状態でレリーズスイッチ５５のオン操作待ちの状態になる。
【００８７】
上記ＬＣＤスイッチ５８のチェックでオンの場合、ＬＣＤモニタ５７がファインダとして機能する状態での撮影が行われる。なお、このＬＣＤモニタ５７は、ＬＣＤスイッチ５８が押圧されている状態の間だけがファインダ状態、すなわち、被写体像を表示する状態となり、該スイッチ５８から手を離すとＬＣＤモニタ５７はオフとなる。そのため、該スイッチ５８は、前述したようにホールドした右手の親指で操作し易い位置にある。この操作によって、比較的大きい電力を必要とするＬＣＤモニタ５７を不必要のときはできるだけオフ状態に保ち、節電を行うことができる。
【００８８】
その後、ステップＳ１９に進み、前記カムリング２によりパンフォーカシング位置に撮影レンズを移動させ、測光を行い、ＣＣＤシャッタ調節を行う（ステップＳ２０，Ｓ２１）。ＣＣＤで撮像されたスルー画像をＬＣＤモニタ５７に表示し（ステップＳ２２）、ステップＳ２４でレリーズスイッチ５５のオン待ちの状態になる。
【００８９】
レリーズスイッチ５５のオンに伴い、カムリング２が回動し、ＡＦ位置に鏡枠３を駆動し、測光を行う（ステップＳ２５，Ｓ２６）。さらに、カムリング２による絞り駆動が行われ、上記ＡＦ（合焦）位置に鏡枠３が駆動される（ステップＳ２７，Ｓ２８）。その後、シャッタを駆動し、露光を行って（ステップＳ２９）、絞りリセット処理の後（ステップＳ３０）、ステップＳ１６に戻る。なお、そこで、バリア閉が検出されると本ルーチンを終了する。
【００９０】
以上説明したように本カメラ５１によると、従来の電子スチルカメラでは、撮影モード，再生モード切り換え用の操作スイッチが必要であったが、バリアの開閉に連動するバリアスイッチ６５を適用することによって、スムーズにＬＣＤモニタ５７を再生用、または、撮影用に切り換え、再生モード、または、撮影モードの選択が可能になる。
【００９１】
なお、カメラ５１を左手でホールドすることも考慮し、ＬＣＤスイッチ５８′をＬＣＤモニタ５７の左側に配置して、左手の親指でＬＣＤスイッチ５８′を押圧しながら、右手の人指し指でレリーズスイッチ５５を操作するように構成してもよい。
【００９２】
なお、上記カメラがマニュアルフォーカス式の電子スチルカメラであった場合は、図２４の撮影シーケンスのフローチャートのうち、ステップＳ２５からＳ２８間での処理が図２５（Ａ）のフローチャートに示すステップＳ３１からＳ３３に入れ代えられ、撮影が実行される。
【００９３】
次に、前記図２４にその撮影／再生シーケンスが示される前記実施形態の電子スチルカメラ５１の変形例として、撮像素子の退色防止機能付き撮影レンズ装置内蔵する変形例の電子スチルカメラについて、図２５（Ｂ）のフローチャートを用いて説明する。
従来のターレット絞り機構を採用した電子スチルカメラでは、通常、絞りを開放状態にセットし、バリアが開放されているために、直射日光が長時間、ＣＣＤを照射することになり、ＣＣＤに装着されるカラーフィルタの退色を加速させることになり、好ましくない。
【００９４】
そこで、本変形例のカメラに組み込まれた撮影レンズ装置は、バリア開の状態で長時間スイッチの入力が検出されなかった場合、自動的に絞りが開放から絞りＦ１１の状態、すなわち、図１０に示すように絞り板１５が小絞り穴１５ｆ作用位置（Ｐ15B ）に駆動され、カラーフィルタが受ける光量を最小状態にして、退色を防止するものである。
【００９５】
すなわち、図２４のフローチャートにおけるステップＳ１７でバリア開が検出された後、各スイッチが長時間操作されない状態が認識されたときは、図２５（Ｂ）に示すスイッチタイマ割り込みルーチン（ステップＳ４１）に入り、絞りをＦ１１に駆動して（ステップＳ４２）、本割り込みルーチンを終了する。そして、図２４のステップＳ２４に戻る。
【００９６】
本変形例のカメラによれば、ターレット絞り機構を採用した電子スチルカメラにおいては、直射日光にもとでバリアが開放されたままになったとしても、自動的に絞りを絞り状態にして、カラーフィルタに照射される光量を減らし、カラーフィルタの退色を防止することができる。
【００９７】
[付記]
以上詳述した如く、本発明の実施形態によれば、以下の如き構成を得ることができる。即ち、
（１）撮影レンズの焦点調節のための焦点調節用被駆動部を駆動する焦点調節駆動機構と絞りを駆動する絞り駆動機構とが共通の駆動要素を含んで構成される撮影レンズ装置において、
上記駆動要素は、焦点調節用のカム部を有するカム機構を含んでなることを特徴とする撮影レンズ装置。
【００９８】
（２）上記カム機構は、一体化された撮影レンズ鏡筒内に組み込まれていることを特徴とする付記（１）に記載の撮影レンズ装置。
【００９９】
（３）上記カム機構の移動範囲の中心区間を上記焦点調節用被駆動部を駆動するために用い、上記カム機構の移動範囲の端部区間を上記絞りを駆動するために用いることを特徴とする付記（１）に記載の撮影レンズ装置。
【０１００】
（４）上記カム機構は、上記移範囲の終端部に上記絞り駆動機構が設けられていることを特徴とする付記（３）に記載の撮影レンズ装置。
【０１０１】
（５）上記カム機構の移動範囲のうち焦点調節および絞り駆動に用いる区間とは異なる区間をマクロストロボの位置調整用の区間として用いるようにしたことを特徴とする付記（３）に記載の撮影レンズ装置。
【０１０２】
（６）上記カム機構のマクロストロボの位置調整用の区間に、ストロボ光学系を回動させるための駆動部を形成したことを特徴とする付記（５）に記載の撮影レンズ装置。
【０１０３】
（７）上記絞り駆動機構を上記カム機構に対して相対的に移動可能にして、撮影レンズのフランジバック調整による鏡枠全体の位置ずれをこの移動により吸収可能に構成したことを特徴とする付記（３）に記載の撮影レンズ装置。
【０１０４】
（８）上記絞り駆動機構を上記焦点調節のためのカム機構の移動範囲区間に近接して配置することを特徴とする付記（７）に記載の撮影レンズ装置。
【０１０５】
（９）上記カム機構の上記焦点調節駆動機構を構成する部分は、段形状を有する位置規制部が形成されてなることを特徴とする付記（１）に記載の撮影レンズ装置。
【０１０６】
（１０）上記位置規制部の一部がマクロ撮影のレンズ位置に対応することを特徴とする付記（９）に記載の撮影レンズ装置。
【０１０７】
（１１）上記カム機構は、リング状であることを特徴とする付記（１）に記載の撮影レンズ装置。
【０１０８】
（１２）上記カム機構は、そのカム部によって上記焦点調節用被駆動部のみを駆動し、且つ、上記カム部の周辺部に設けた突起部により上記絞り機構の絞りの設定と解除のための駆動力を得るように構成されたものであることを特徴とする付記（１）に記載の撮像レンズ装置。
【０１０９】
（１３）上記突起部の変位を上記絞り機構に伝達するための当接部材を絞り機構に突設し、且つ、この当接部材は、上記撮影レンズ装置の少なくとも一部を構成する、撮影条件に応じて移動可能なレンズの移動範囲を越える有効長を有するようにしたことを特徴とする付記（１２）に記載の撮影レンズ装置。
【０１１０】
（１４）上記焦点調節用被駆動部と上記絞りは、上記駆動要素の動力源への電源停止状態で定位置に保持されることを特徴とする付記（１）に記載の撮影レンズ装置。
【０１１１】
（１５）上記焦点調節用被駆動部と上記絞りとを定位置に保持するための保持機構を上記カム機構上に設けることを特徴とする付記（１４）に記載の撮影レンズ装置。
【０１１２】
（１６）上記保持機構は、カム機構上に設けられた絞り駆動機構の延長先に設けられたことを特徴とする付記（１５）に記載の撮影レンズ装置。
【０１１３】
（１７）上記カム機構は、円筒状の形状をなすことを特徴とする付記（１７）に記載の撮影レンズ装置。
【０１１４】
（１８）上記カム機構の軸が撮影レンズに対して偏心していることを特徴とする付記（１１）または付記（１７）に記載の撮影レンズ装置。
【０１１５】
（１９）それぞれの両端に絞り駆動のための端部区間を有し、焦点調節被駆動部をそれぞれ異なる移動範囲を駆動する中心区間をもつ複数の分割カム部を有するカム機構を有することを特徴とする付記（３）に記載の撮影レンズ装置。
【０１１６】
（２０）各操作スイッチが所定の時間以上、操作されなかったことを検知したとき、上記絞り駆動機構を絞り込んだ状態に駆動する絞り制御手段を有することを特徴とする付記（１）に記載の撮影レンズ装置。
【０１１７】
（２１）撮影レンズの焦点調節のための焦点調節用被駆動部を駆動する焦点調節駆動機構と、絞りを駆動する絞り駆動機構とが共通の駆動要素を含んで構成される撮影レンズ装置を有し、上記焦点調節用被駆動部を上記焦点調節駆動機構と接触させて光軸方向に移動させ、上記撮影レンズを焦点調節した後、上記絞り駆動機構は上記絞りと接触することにより、上記絞りを絞り込んだ後、撮影動作を行い、その後、上記絞りを解放することを特徴とする撮影方法。
【０１１８】
上述したように付記（１）に記載の撮影レンズ装置によれば、上記焦点調節駆動機構および絞り駆動機構とが両者共通の駆動要素をなすカム機構を含んで構成されるようにしたので、両者の駆動タイミングがずれることがなく、調節工程が不要になり、部品点数も少なり、コスト上も有利になる。
【０１１９】
付記（２）に記載の撮影レンズ装置によれば、カム機構による出っ張り部分がなく、鏡枠系をカメラに搭載するときの収容スペ−ス効率も良くなる。カム面に塵埃の付着もなくなり、焦点調節の精度も向上する。
【０１２０】
付記（３）に記載の撮影レンズ装置によれば、カム機構の移動範囲の端部区間で絞りの設定を行い、中心区間で焦点調節駆動を行うようにしたので、焦点調節のための調節段数を多くとることができ、高精度の調節が可能となる。
【０１２１】
付記（４）に記載の撮影レンズ装置によれば、カム機構の移動範囲の端部区間で絞りの設定を行い、中心区間で焦点調節駆動を行うようにしたので、焦点調節のための調節段数を多くとることができ、高精度の調節が可能となる。
【０１２２】
付記（５）に記載の撮影レンズ装置によれば、カム機構の一部をマクロストロボの位置調節用に用いたので、簡単な機構によりマクロ撮影におけるストロボの配光を改善することができる。
【０１２３】
付記（６）に記載の撮影レンズ装置によれば、カム機構の一部をマクロストロボの位置調節用に用いるようにしたので、簡単な機構によりマクロ撮影におけるストロボの配光を改善することができる。
【０１２４】
付記（７）に記載の撮影レンズ装置によれば、絞り駆動機構の位置調節により、撮影レンズの組立誤差や製造誤差によるフランジバック位置を調節することができる。
【０１２５】
付記（８）に記載の撮影レンズ装置によれば、絞り設定から焦点調節駆動まで、または、その逆方向の駆動の時間的な遅れをより少なく抑えることができ、撮影準備動作時間が短く、操作性も向上する。さらに、消費電力も抑えることができる。
【０１２６】
付記（９）に記載の撮影レンズ装置によれば、カム機構の撮影レンズの移動に必要な部分のみ斜面とし、その他の部分を平坦状とすることで、ゾーンフォーカス時に、この平坦状部分の範囲内ではカム機構の停止位置の誤差乃至揺動する影響を受けず、安定して適正な合焦調節状態を維持することができる。
【０１２７】
付記（１０）に記載の撮影レンズ装置によれば、カム機構によりマクロ撮影時の撮影レンズ駆動も行うことができる。
【０１２８】
付記（１１）に記載の撮影レンズ装置によれば、径方向の寸法を小さく抑えることができ、鏡筒の小型化が可能になる。
【０１２９】
付記（１２に記載の撮影レンズ装置によれば、カム機構のカム面以外に突起部を設け、この突起部をカム面とは独立した最適な位置に配置することができ、また、絞り（絞り板）と略同一面上に上記突起部を設けることができるので精度の確保が容易である。
【０１３０】
付記（１３）に記載の撮影レンズ装置によれば、撮影レンズと一体的に移動する絞りの移動範囲よりも長くした突起部によりこの移動範囲がカバーされ、カム機構の光軸方向の移動が不要になり、構成が簡単になる。
【０１３１】
付記（１４）に記載の撮影レンズ装置によれば、輸送時等における振動や衝撃に対して光学系部材の破損が防止できる。また、再通電時での各部の初期位置が確定できるので、初期動作が簡略化でき、待ち時間が減少する。
【０１３２】
付記（１５）に記載の撮影レンズ装置によれば、輸送時等における振動や衝撃による光学系部材の破損が防止できる。また、再通電時での各部の初期位置が確定できるので、初期動作が簡略化でき、待ち時間が減少する。
【０１３３】
付記（１６）に記載の撮影レンズ装置によれば、絞りを開放側にリセットして、保持機構がその先方位置にあるので、シーケンスが単純化する。
【０１３４】
付記（１７）に記載の撮影レンズ装置によれば、カム機構による光軸方向の厚みの増加が減る。特に、撮影レンズ進退量の大きいズームレンズタイプには最適である。
【０１３５】
付記（１８）に記載の撮影レンズ装置によれば、カム機構の直径を小さくできるので、撮影レンズ鏡筒全体の径を小さくすることができる。
【０１３６】
付記（１９）に記載の撮影レンズ装置によれば、撮影レンズのフランジバックによって上記カム機構の分割カム部の１つを選択して組み付けることができるので、撮影レンズのフランジバックに合致した適切なカム部を選択することができ、高精度であって、しかも、素早いＡＦ動作を得ることができる。
【０１３７】
付記（２０）に記載の撮影レンズ装置によれば、直射日光にもとでバリアが開放されたままになったとしても、自動的に絞りを絞り状態にして、撮像素子のカラーフィルタに照射される光量を減らし、カラーフィルタの退色を防止することができる。
【０１３８】
付記（２１）に記載の撮影方法によれば、高精度の測光が可能になり、最適な絞りの設定ができる。また、撮影終了後、開放絞りになるので、次の撮影時にすぐに焦点調節動作に入ることができ、準備時間が短くでき、操作性がよくなる。
【０１３９】
【発明の効果】
以上説明したように本発明によれば、焦点調節と絞りを簡単な駆動機構で駆動し、低コストであり、しかも、構造が簡単で占有スペ−スが小さい撮影レンズ装置を提供することができる。
【図面の簡単な説明】
【図１】  本発明の一実施の形態の撮影レンズ装置の分解斜視図の１部。
【図２】  本発明の一実施の形態の撮影レンズ装置の分解斜視図の１部。
【図３】  図１，図２の撮影レンズ装置に組み込まれる鏡枠部の分解斜視図。
【図４】  図１，図２の撮影レンズ装置のカムリング装着状態の縦断面図。
【図５】  図４のＡ−Ａ′断面図。
【図６】  図１，図２の撮影レンズ装置の鏡枠の縦断面図。
【図７】  図１，図２の撮影レンズ装置の鏡枠の絞り板周りの縦断面図。
【図８】  図１，図２の撮影レンズ装置の絞り板等の光学系部材とソレノイド，モータ等の駆動源の配置状態を示す被写体側から見た断面図。
【図９】  図８のＡ−Ａ′断面図。
【図１０】  図１，図２の撮影レンズ装置の鏡枠を被写体側から見た状態での絞り板，カムリングの動作状態を示す断面図。
【図１１】  図１，図２の撮影レンズ装置の鏡枠を被写体側から見た状態でのシャッタ羽根の動作状態を示す断面図。
【図１２】  図１，図２の撮影レンズ装置のカムリングの展開図。
【図１３】  図１，図２の撮影レンズ装置におけるソレノイドのプランジャストロ−ク、または、経過時間に対するシャッタの光量の変化を示す図。
【図１４】  図１，図２の撮影レンズ装置におけるソレノイドの各プランジャストロ−ク位置でのシャッタの開口面積の変化を示す図。
【図１５】  図１，図２の撮影レンズ装置のカムリングの変形例を示し、図１５（Ａ）は、１つの変形例のカムリング展開図で、図１５（Ｂ）は、他の１つの変形例のカムリング展開図である。
【図１６】  図１，図２の撮影レンズ装置のカムリングの別の変形例を示すカムリング展開図。
【図１７】  図１，図２の撮影レンズ装置のカムリングに代えて適用されるカム環を組み込んだ撮影レンズ装置の主要部の縦断面図。
【図１８】  図１７の撮影レンズ装置の主要部の斜視図。
【図１９】  図１，図２の撮影レンズ装置のカムリングの変形例のものを組み込んだ撮影レンズ装置とストロボ装置を被写体側から見た図。
【図２０】  図１９のＡ−Ａ′断面図。
【図２１】  図１，図２の撮影レンズ装置が組み込まれたバリア付き電子スチルカメラの裏面側から見た外観の斜視図。
【図２２】  図２１のカメラのバリア閉鎖状態の正面図。
【図２３】  図２１のカメラのバリア開放状態の正面図。
【図２４】  図１，図２の撮影レンズ装置を組み込んだ電子スチルカメラの撮影／再生のシーケンスのフローチャート。
【図２５】  図２４の撮影／再生のシーケンスの変形例のフローチャートの一部を示し、図２５（Ａ）は、マニュアルフォーカスカメラにおける撮影シーケンスの一部を示し、図２５（Ｂ）は、スイッチタイマ割り込み処理を含む撮影シーケンスの一部を示す。
【図２６】  従来の撮影レンズ装置の直線羽根のシャッタ羽根の構造を示す図。
【図２７】  図２６の従来のシャッタ羽根によるソレノイドのプランジャストロ−ク、または、経過時間に対する光量変化を示す線図。
【符号の説明】
１ｆ  ……突起（保持機構）
２    ……カムリング（カム機構）
２ｃ  ……カム部（焦点調節駆動機構）
２ｃA ……絞りリセット領域（端部区間）
２ｃB ……鏡枠進退領域（移動範囲の中心区間）
２ｃC ……絞りセット領域（端部区間，終端部）
２ｄ，２ｅ，４３，４４
……突起部（絞り駆動機構）
５    ……ステッピングモータ（駆動源）
１１ｈ……カム当接部（焦点調節用の被駆動部）
１１ｉ……ストッパ（保持機構）
３１，３２
……撮影レンズ
４５ｃB1，４５ｃB2
……鏡枠進退領域
（段形状カム位置規制部）
６５  ……ストロボ発光部（ストロボ光学系）
７２  ……カム環（カム機構））
【図１】
0003746574.tif 000002
【図２】
0003746574.tif 000003
【図３】
0003746574.tif 000004
【図４】
0003746574.tif 000005
【図５】
0003746574.tif 000006
【図６】
0003746574.tif 000007
【図７】
0003746574.tif 000008
【図８】
0003746574.tif 000009
【図９】
0003746574.tif 000010
【図１０】
0003746574.tif 000011
【図１１】
0003746574.tif 000012
【図１２】
0003746574.tif 000013
【図１３】
0003746574.tif 000014
【図１４】
0003746574.tif 000015
【図１５】
0003746574.tif 000016
【図１６】
0003746574.tif 000017
【図１７】
0003746574.tif 000018
【図１８】
0003746574.tif 000019
【図１９】
0003746574.tif 000020
【図２０】
0003746574.tif 000021
【図２１】
0003746574.tif 000022
【図２２】
0003746574.tif 000023
【図２３】
0003746574.tif 000024
【図２４】
0003746574.tif 000025
【図２５】
0003746574.tif 000026
【図２６】
0003746574.tif 000027
【図２７】
0003746574.tif 000028